(57)【要約】【課題】  りん木を介して段積みされたパネルを破損することなく容易に吊り上げて建物駆体へと移動させるパネルの吊り方法を提供する。【解決手段】  りん木を介して段積みされたコンクリート系パネルの最上段パネルの一方端にパネル重量を支持する載荷台車を配設し、対向する他方端をクレーンで持ち上げてパネルを引き起こしながら吊り上げる。そして、この載荷台車は、パネル端の上側壁面を支持する上面支持片、下側壁面を支持する下面支持片、さらに小口面を支持する小口面支持片とからなる断面略コ字状のパネル端支持部、および前記下面支持片と前記小口面支持片との接合部付近の外側に主輪を備えている。【選択図】図１
2006274735.tif 000002
【特許請求の範囲】
【請求項１】
りん木を介して段積みされたコンクリート系パネルの最上段パネルの一方端にパネル重量を支持する載荷台車を配設し、対向する他方端をクレーンで持ち上げてパネルを引き起こしながら吊り上げることを特徴とするパネルの吊り上げ方法。
【請求項２】
前記載荷台車は、パネル端の下側壁面を支持する下面支持片と小口面を支持する小口面支持片とからなる断面略Ｌ字状のパネル端支持部、および前記下面支持片と前記小口面支持片との接合部付近の外側に主輪を備えている請求項１記載のパネルの吊り上げ方法。
【請求項３】
前記載荷台車は、パネル端の上側壁面を支持する上面支持片、下側壁面を支持する下面支持片、さらに小口面を支持する小口面支持片とからなる断面略コ字状のパネル端支持部、および前記下面支持片と前記小口面支持片との接合部付近の外側に主輪を備えている請求項１記載のパネルの吊り上げ方法。
【請求項４】
前記主輪は逆回転防止のラチェット機構を備えている請求項１、２または３記載のパネルの吊り上げ方法。
【請求項５】
パネルが立設したときに主輪とともに床面に当接してパネルの転倒を防止する脚部がパネル端支持部から突出して設けられている請求項２、３または４記載のパネルの吊り上げ方法。
【請求項６】
前記コンクリート系パネルは大型の壁パネルである請求項１〜５のいずれか１項に記載のパネルの吊り上げ方法。
【発明の詳細な説明】
【技術分野】
【０００１】
本発明は、施工現場において、段積みされたコンクリート系パネルの最上段パネルを破損することなく容易かつ安全に吊り上げるパネルの吊り上げ方法に関する。
【背景技術】
【０００２】
コンクリート系パネル（以下、パネルという。）は、通常、工場から施工現場までトラックに積載されて運搬され、施工現場で地表面に一旦荷下ろしされた後に、クレーンで吊り上げられて建物駆体へ移動される。
このように、トラックによる積載や地表面への仮置きと設置場所を変えてパネルの段積みが繰り返され、さらに、吊り上げて建物駆体へ移動されるパネルは、その度に段積みされた最上段パネルからクレーンで順次吊り上げる作業が行われる。
また、図８（ａ）、（ｂ）に示すように、各パネル間にりん木１３を介在させて接触面積を小さくすることにより、最上段パネル１１を横方向へ容易に面して１枚ずつ搬出できるように段積みされている。このため、重い大型パネルの段積みにおいて、このりん木１３は必須となっている。
【０００３】
また、図７に示すように、クレーンでパネル１１を吊り上げるためのパネル吊り具２３が埋設されたパネルが知られている。（特許文献１参照）
このパネル吊り具２３は、パネル１１の上小口面１１ｄに縦孔２１とパネル壁面１１ｃにその縦孔２１に連通する横孔２２が形成され、その縦孔２１から挿通された棒状体２３ｂの挿通孔２３ｃに、横孔２２からのピン２４が差し込まれてパネル１１に埋設されている。
そして、このパネル吊り具２３の上部に係合させたリングボルト２５にクレーンのフック２０を係止し、パネル１１を吊り上げた状態で建物駆体まで移動させて建て込み作業を行う。
【０００４】
【特許文献１】特開２００４−２２５３９０号公報
【発明の開示】
【発明が解決しようとする課題】
【０００５】
前述した繰り返される段積みパネルのクレーンによる吊り上げ作業において、 図８（ａ）に示すように、最上段パネル１１は、埋設されたパネル吊り具２３にフック２０を係止させてパネルを引き起こすようにクレーンで持ち上げられる。
このとき、パネル１１の一方端１１ａ（図中パネル１１の左下角）が次段パネル１２の上側壁面に強く当たり、最上段パネル１１の角部または次段パネル１２の上側壁面が著しく破損される恐れがある。そのため、通常は、その当接部分にクッション材２６を介在させることになる。
【０００６】
ところが、最上段パネルの他方端１１ｂ（図中パネル１１の右端）がクレーンにより垂直方向のみに単に持ち上げられると、クレーンの吊り位置（フックの係止位置）を中心とする回転力が最上段パネル１１に発生する。
これにより、次段パネル１２の上側壁面に沿って最上段パネルの一方端１１ａが（図８（ａ）において、次段パネル１１の左端から右端に）引きずられて移動し、さらに、最上段パネルの一方端１１ａがクッション材２６の敷設位置から外れて、パネルが破損されるようになる。
壁面にタイルが貼着してあったり塗装仕上げが施されているパネルでは、その壁面の損傷は致命的となり、そのパネルは製品として使用できなくなってしまう。
これらの不具合を防ぐために、最上段パネルの他方端１１ｂを垂直に持ち上げると同時に、クレーンの吊り位置を最上段パネルの一端部１１ａ側（図８（ｂ）において、次段パネル１２の左端側）へずらしながら、パネルの一端部１１ａがクッション材２６から外れないように常に注意して作業を行う必要があった。
【課題を解決するための手段】
【０００７】
本発明は、上記問題点を解決するために、
りん木を介して段積みされたコンクリート系パネルの最上段パネルの一方端にパネル重量を支持する載荷台車を配設し、対向する他方端をクレーンで持ち上げてパネルを引き起こしながら吊り上げるパネルの吊り上げ方法とした。
さらに、本発明において次項をそれぞれ好ましい条件とした。
１）載荷台車は、パネル端の下側壁面を支持する下面支持片と小口面を支持する小口面支持片とからなる断面略Ｌ字状のパネル端支持部、および前記下面支持片と前記小口面支持片との接合部付近の外側に主輪を備えている。
２）載荷台車は、パネル端の上側壁面を支持する上面支持片、下側壁面を支持する下面支持片、さらに小口面を支持する小口面支持片とからなる断面略コ字状のパネル端支持部、および前記下面支持片と前記小口面支持片との接合部付近の外側に主輪を備えている。
３）主輪は逆回転防止のラチェット機構を備えている。
４）パネルが立設したときに主輪とともに床面に当接してパネルの転倒を防止する脚部がパネル端支持部から突出して設けられている。
５）コンクリート系パネルは大型の壁パネルである。
【発明の効果】
【０００８】
本発明によれば、りん木を介して段積みされたパネルを破損することなく容易かつ安全に吊り上げて建物駆体へ移動させることができるようになる。
特に重量のある大型パネルに本発明を適用すると、その作業の容易性および安全面において多大な効果を発揮する。
【発明を実施するための最良の形態】
【０００９】
以下、本発明の実施形態を図１〜図６に基づいて説明する。なお、符号は従来例と同一のものはその符号を付した。
本発明は、図１に示すように、りん木１３を介して段積みされたコンクリート系パネルの最上段パネルの一方端１１ａにパネル重量を支持する載荷台車１を配設し、対向する他方端１１ｂをクレーンで持ち上げてパネル１１を引き起こしながら吊り上げるパネルの吊り上げ方法である。
具体的なパネルの吊り上げ手順を、図１（ａ）〜（ｄ）に基づいて説明をする。
先ず、図１（ａ）に示すように、りん木１３を介して段積みされたパネルの最上段パネルの一方端１１ａ（図中パネル１１の左端）に載荷台車１を配設するとともに、他方端１１ｂ（図中パネル１１の右端）にクレーンのフック２０を係止する。
【００１０】
次に、図１（ｂ）に示すように、クレーンで他方端１１ｂを持ち上げてパネル１１を引き起こす。
すると、図１（ｂ）、（ｃ）に示すように、そのパネル１１が引き起こされるとともに、パネルの一方端１１ａを支持している載荷台車１が次段パネル１２の上側壁面を図中の左側から右側に向かって走行する。
そして、図１（ｄ）に示すように、クレーンにより引き起こされたパネル１１は一旦立設したのち、さらに、上方へ吊り上げられていく。
このとき、載荷台車１はパネルの一方端１１ａから自然に離脱して次段パネル１２の上側壁面に残される。
このように、最上段パネル１１を支持する載荷台車１を所定位置に配設することにより、容易かつ安全な吊り上げ作業が可能になるとともに、最上段パネル１１の角部または次段パネル１２の上側壁面の破損が発生しなくなる。
【００１１】
載荷台車１は、引き起こされるパネル１１の全重量が支持できる台車であれば形状は特に限定されない。そのため、パネルの一方端１１ａが滑り落ちないように、平坦な上面にクッション材などを貼着した台車であっても良い。
また、図２〜図５に示すように、パネル１１の一方端１１ａが載荷される断面略Ｌ字状または断面略コ字状のパネル端支持部２、および、次段パネル１２の上側壁面を走行する主輪７を備えた載荷台車１であると好ましい。
断面略Ｌ字状のパネル端支持部２は、図３に示すように、パネル１１の下側壁面１１ｅに当接する下面支持片３と、小口面１１ｄに当接する小口面支持片４とにより、パネル端を制止させて安定して支持することができる。
【００１２】
そして、図３に示すように、下面支持片３と小口面支持片４との接合部６付近の外側に主輪７が設けてあると、図２（ｂ）、（ｃ）に示すように、パネル１１が横置き→引き起こし→立設と変化しても、次段パネル１２の上側壁面に主輪７を常に当接させて走行することが可能となる。
なお、図２（ｂ）に示すように、載荷台車１がパネル端に装着されたときに、主輪７の外周が次段パネル１２の上側壁面より上方となるように、その直径または軸１０の位置が設定してあると、パネル間に載荷台車１を容易に挿入して装着できるため好ましい。
さらに、次段パネル１２の上側壁面を主輪７とともに走行する副輪７ａが、下面支持片３を水平に支持するようにその下側に設けてあると、載荷台車１がより安定して走行できるようになり望ましい。
【００１３】
断面略コ字状のパネル端支持部２は、図４に示すように、パネル端における上側壁面１１ｃを支持する上面支持片５、下側壁面１１ｅに当接する下面支持片３、および、小口面１１ｄに当接する小口面支持片４から成り、その内部にパネル端が嵌入して支持されるため、本発明の効果が一層発揮されるようになり望ましい。
また、この断面略コ字状のパネル端支持部２を備えた載荷台車１の場合、図３に示すような副輪７ａは無くても良い。
なお、図２（ａ）に示すように、この断面略コ字状のパネル端支持部２を備えた載荷台車１は、最上段パネル１１の斜め上方からパネル端に嵌め込んで装着することができる。
【００１４】
さらに、逆回転を防止するためのラチェット機構が主輪７に備えられていると、クレーンの吊り位置（フックの係止位置）が水平方向にずれても、載荷台車１が次段パネル１２の上側壁面を逆方向（図１（ｂ）において、右側から左側）に走行して脱落することが防止できる。
また、図３または図４に示すように、パネル１１が立設したときに主輪７とともに床面（図中では、左側の垂直面）に当接して、パネルの転倒を防止する脚部８がパネル端支持部２から突出して設けられていると良い。
この脚部８により、次段パネル１２の上側壁面にパネル１１が安定して立設できるとともに、載荷台車１が単独で直立できるようになるため、パネル１１がさらに吊り上げられたときに載荷台車１が容易に離脱して次段パネル１２の上側壁面に残ることができるようになる。
【００１５】
さらに、上記方法によれば、人力では最上段パネルをずらすことが全くできない重量のある大型の壁パネルであっても、パネルを破損することなく容易かつ安全に吊り上げることが可能となる。
また、多数の気孔が壁面に露出して脆弱なＡＬＣパネルに対しても、同様に、パネルを破損することなく容易かつ安全に吊り上げることが可能となる。
【００１６】
より具体的な載荷台車１の実施形態を図５に示す。
図５に示す載荷台車１は、鋼板製の断面略コ字状のパネル端支持部２を備えている。
そして、その各寸法は、上面支持片５（幅６００ｍｍ、高さ１００ｍｍ、板厚６ｍｍ）、下面支持片３（幅６００ｍｍ、高さ１５０ｍｍ、板厚６ｍｍ）、小口面支持片４（幅６００ｍｍ、高さ１７０ｍｍ、板厚６ｍｍ）である。また、主輪７は、小口面支持片４から突設させた横板９に固定された軸１０にプラスチック性の円筒形ローラー（幅５５０ｍｍ、直径５０ｍｍ）を取付けた。
この載荷台車１を使用することにより、例えば、５段積みされたＡＬＣパネル１１（長さ４５００ｍｍ、幅１８００ｍｍ、厚み１５０ｍｍ、重量約８００ｋｇ）を最上段から順次吊り上げて移動させることができた。
上面支持片５、下面支持片３、および小口面支持片４のそれぞれの幅はパネルの幅寸法に対して１／３以上３／４以下であると、パネルが確実に支持されるようになり望ましい。また、円筒形ローラーの幅は１／３以上３／４以下、そして、直径は３０ｍｍ〜１５０ｍｍであると、安定した走行が可能となる。
また、パネルの長さ寸法に対して、上面支持片５の高さは５０〜２００ｍｍ、下面支持片３の高さは１００〜３００ｍｍであると材料に無駄が無くパネルが確実に支持されるようになり望ましい。さらに、小口面支持片４の高さをパネルの厚み寸法と同等とすることにより、パネルが確実に支持されるとともに載荷台車１が容易に着脱できて好ましい。
【００１７】
パネル端支持部２および脚部８として、鉄（鋼材）、アルミ、ステンレス、塩ビ、プラスチック等の材料を使用することができる。また、主輪７は、鉄（鋼材）、アルミ、ステンレス、塩ビ、プラスチック、ゴム等の材料が使用でき、さらに、鋼材の外周に塩ビ、プラスチック、ゴムを貼着した二重構造としても良い。
また、図６に示すように、主輪７を複数の幅の狭い車輪で構成することもできる。このとき、２つのローラーの直径およびそれぞれの外側面の間寸法Ｓは、図５に示した円筒形ローラー単体における直径および幅寸法と同等条件とすることが好ましい。
以上、本発明の実施例を図面に基づいて詳細に説明してきたが、本発明の具体的な構成はこの実施形態に限定されるものではなく、発明の要旨を逸脱しない範囲の設計変更等があっても本発明に含まれる。
【産業上の利用可能性】
【００１８】
本発明によれば、重量のあるコンクリート系パネルを破損させることなく容易かつ安全に吊り上げることが可能となる。
これにより、パネル吊り上げ時におけるパネル破損や作業時間の短縮が図られ、工期短縮に大きく貢献する。
【図面の簡単な説明】
【００１９】
【図１】本発明のパネル吊り上げ方法の一実施形態を示す説明図。
【図２】載荷台車がパネルに装着されて、パネル端がその主輪で支持される状態を示す説明図。
【図３】本発明における載荷台車の一実施形態を示す側面図。
【図４】本発明における載荷台車の他の実施形態を示す側面図。
【図５】載荷台車の実施形態の斜視図。
【図６】載置台車における主輪の他の実施形態を示す正面図。
【図７】パネル吊り具の例を示す斜視図。
【図８】従来例のパネル吊り上げ方法を示す説明図。
【符号の説明】
【００２０】
１  載荷台車
２  パネル端支持部
３  下面支持片
４  小口面支持片
５  上面支持片
６  接合部
７  主輪
７ａ  副輪
８  脚部
９  横板
１０  軸
１１  最上段パネル
１１ａ  一方端
１１ｂ  他方端
１１ｃ  パネル上側壁面
１１ｄ  パネル小口面
１１ｅ  パネル下側壁面
１２  次段パネル
１３  りん木
２０  フック
２１  縦孔
２２  横孔
２３  パネル吊り具
２３ａ  鍔部
２３ｂ  棒状体
２３ｃ  挿通孔
２４  ピン
２５  リングボルト
２６  クッション材
Ｓ  ２つのローラーの外側面の間寸法
【図１】
2006274735.tif 000003
【図２】
2006274735.tif 000004
【図３】
2006274735.tif 000005
【図４】
2006274735.tif 000006
【図５】
2006274735.tif 000007
【図６】
2006274735.tif 000008
【図７】
2006274735.tif 000009
【図８】
2006274735.tif 000010